(57)【要約】【課題】  瓦記録方式に適した誤り訂正符号化されたデータのブロック構成を考慮した磁気記録装置を提供する。【解決手段】  実施形態によれば、誤り訂正符号化されたデータを瓦記録方式により記録する磁気記録装置であって、隣接するトラック間で、前記誤り訂正符号化されたデータの単位ビットが位相シフトして記録される磁気記録媒体と、複数のトラックをカバーする幅を有し、前記複数のトラックからデータを再生する再生ヘッドと、前記誤り訂正符号化されたデータおよび当該データのパリティを、前記再生ヘッドがカバーする前記複数のトラックに分割して記録する記録制御部とを具備する磁気記録装置が提供される。【選択図】図６
2012059317.tif 000002
【特許請求の範囲】
【請求項１】
誤り訂正符号化されたデータを瓦記録方式により記録する磁気記録装置であって、
隣接するトラック間で、前記誤り訂正符号化されたデータの単位ビットが位相シフトして記録される磁気記録媒体と、
複数のトラックをカバーする幅を有し、前記複数のトラックからデータを再生する再生ヘッドと、
前記誤り訂正符号化されたデータおよび当該データのパリティを、前記再生ヘッドがカバーする前記複数のトラックに分割して記録する記録制御部と
を具備する磁気記録装置。
【請求項２】
誤り訂正符号化されたデータを瓦記録方式により記録する磁気記録装置であって、
隣接するトラック間で、前記誤り訂正符号化されたデータの単位ビットが位相シフトして記録される磁気記録媒体と、
複数のトラックをカバーする幅を有し、前記複数のトラックからデータを再生する再生ヘッドと、
前記誤り訂正符号化されたデータの前記誤り訂正符号化の基本単位であるシンボルを構成するビットが１つのトラック上で隣り合う配置としたデータを、前記再生ヘッドがカバーする前記複数のトラックに分割して記録する記録制御部と
を具備する磁気記録装置。
【請求項３】
誤り訂正符号化されたデータを瓦記録方式により記録する磁気記録装置であって、
隣接するトラック間で、前記誤り訂正符号化されたデータの単位ビットが位相シフトして記録される磁気記録媒体と、
複数のトラックをカバーする幅を有し、前記複数のトラックからデータを再生する再生ヘッドと、
前記誤り訂正符号化されたデータのパリティに関し、前段のトラックのデータに付加するパリティ数よりも後段のトラックのデータに付加するパリティ数を減少させて記録する記録制御部と
を具備する磁気記録装置。
【請求項４】
前記磁気記録媒体は、隣接ドット列間に位相シフトがある複数の磁性ドット列を含むビットパターンドメディアである請求項１乃至３の何れか１項に記載の磁気記録装置。
【請求項５】
前記磁気記録媒体は、連続膜媒体である請求項１乃至３の何れか１項に記載の磁気記録装置。
【発明の詳細な説明】
【技術分野】
【０００１】
本発明の実施形態はハードディスク装置等の磁気記録装置、磁気記録方法および磁気記録媒体に関する。
【背景技術】
【０００２】
パーソナルコンピュータ、ハードディスクレコーダ等の情報機器の高機能化・高速化に伴い、ユーザの取り扱う情報の量は近年ますます増大してきている。このため、情報記録装置の記録媒体の記録密度を高めることが切望されている。記録密度を高めるためには、記録媒体において記録の書き込み単位である１つの記録セルまたは記録マークの大きさを微小化することが必要である。しかし、従来の記録媒体においては、記録セルまたは記録マークの微小化は大きな困難に直面している。
【０００３】
現行のハードディスク装置の記録媒体は、ディスク基板上に厚さ数１０ｎｍ程度のグラニュラー薄膜を堆積させた構造となっている。記録密度を高めるために、グラニュラー薄膜の粒子を細かくすると、熱揺らぎ（磁性体粒子の体積が小さくなると、熱エネルギーに比べて磁気エネルギーの比率が低下し、温度の影響で記録磁化が変化あるいは消失してしまう現象）のために、小さい多結晶体では記録が不安定となる。このため、記録セルが大きい場合は問題ないが、記録セルが小さくなると、記録の不安定性やノイズの増大が生じる。これは、記録セルに含まれる結晶粒の数が少なくなることと、記録セル間の相互作用が相対的に大きくなるためである。
【０００４】
これを回避するため、記録材料を非記録材料により予め分断し、単一の記録材料粒子を単一の記録セルとして記録再生を行うビットパターンドメディア（ＢＰＭ）（単にパターンドメディアとも称する）が薄膜媒体に代わる次世代型磁気記録媒体として提案されている。
【０００５】
ビットパターンドメディアは、ナノメートルスケールの磁性ドットを基板上に規則配列させた磁性ドットアレイを含み、それぞれの磁性ドットの磁化の向きで“０”、“１”のデジタル信号（１ドットが１ビットに相当）が記録される。ビットパターンドメディアでは、各ビットが物理的に完全孤立しているため、連続膜媒体において高記録密度化の主たる阻害因子となる磁化転移に伴うノイズが原理的に生じない。
【０００６】
しかし、記録材料が記録媒体表面において非記録材料により分断されているパターンドメディアでは、記録ヘッドが記録媒体の特定位置にデータを記録する際に、分断された記録セルの１つ１つにデータを書き込む必要があるため、記録ヘッドによる記録開始のタイミング合わせが重要である。記録開始タイミングがずれると、記録ヘッドが非記録材料部分または隣り合う記録セルにまたがって書き込み動作を行うことになるため、書き込みエラーが増えてしまう。
【０００７】
ビットパターンドメディアのドットの配列パターンには格子（正方）パターンや千鳥パターンがある。
【０００８】
ドットが縦横に整列している格子パターンでは、１行のドット列を１トラックとして記録・再生を行うため、ヘッドコア幅やトラッキング等のクロストラック方向の条件に精密な制約条件が要求される。
【０００９】
一方、千鳥パターンでは、一定のドットピッチで配列された多数のドット列において、奇数行目のドット列と偶数行目のドット列とは位相が１８０°ずれている。記録・再生時に、たとえば隣接する２行のドット列をカバーする幅を有するヘッドを用い、２行のドット列を１データトラックとして記録・再生を行うと、ヘッドコア幅やトラッキング等のクロストラック方向の条件を緩和することができる。しかし、千鳥パターンで２行のドット列を１データトラックとして記録する場合、ライト位相マージンが減少する。
【００１０】
そこで、ライト位相マージンを拡大するために、ヘッドをクロストラック方向へ移動させながら１行のドット列に記録する、いわゆる瓦記録を行うことが考えられる。しかし、瓦記録での誤り訂正符号（ＥＣＣ）のブロック構成は考慮されておらず、効率的な誤り訂正、データの転送レートなどの点で改善の余地がある。
【００１１】
なお、瓦記録はビットパターンドメディアだけでなく連続膜媒体に対しても適用されるので、連続膜媒体においても瓦記録での誤り訂正符号のブロック構成を考慮すべきである。
【先行技術文献】
【特許文献】
【００１２】
【特許文献２】特開２００７−３０５２８９号公報
【特許文献３】特開２００３−１５１１０３号公報
【特許文献１】特開２００７−７３１１６号公報
【発明の概要】
【発明が解決しようとする課題】
【００１３】
本発明の目的は、瓦記録方式に適した誤り訂正符号化されたデータのブロック構成を考慮した磁気記録装置を提供することにある。
【課題を解決するための手段】
【００１４】
実施形態によれば、誤り訂正符号化されたデータを瓦記録方式により記録する磁気記録装置であって、隣接するトラック間で、前記誤り訂正符号化されたデータの単位ビットが位相シフトして記録される磁気記録媒体と、複数のトラックをカバーする幅を有し、前記複数のトラックからデータを再生する再生ヘッドと、前記誤り訂正符号化されたデータおよび当該データのパリティを、前記再生ヘッドがカバーする前記複数のトラックに分割して記録する記録制御部とを具備する磁気記録装置が提供される。
【００１５】
他の実施形態によれば、誤り訂正符号化されたデータを瓦記録方式により記録する磁気記録装置であって、隣接するトラック間で、前記誤り訂正符号化されたデータの単位ビットが位相シフトして記録される磁気記録媒体と、複数のトラックをカバーする幅を有し、前記複数のトラックからデータを再生する再生ヘッドと、前記誤り訂正符号化されたデータの前記誤り訂正符号化の基本単位であるシンボルを構成するビットが１つのトラック上で隣り合う配置としたデータを、前記再生ヘッドがカバーする前記複数のトラックに分割して記録する記録制御部とを具備する磁気記録装置が提供される。
【００１６】
さらに他の実施形態によれば、誤り訂正符号化されたデータを瓦記録方式により記録する磁気記録装置であって、隣接するトラック間で、前記誤り訂正符号化されたデータの単位ビットが位相シフトして記録される磁気記録媒体と、複数のトラックをカバーする幅を有し、前記複数のトラックからデータを再生する再生ヘッドと、前記誤り訂正符号化されたデータのパリティに関し、前段のトラックのデータに付加するパリティ数よりも後段のトラックのデータに付加するパリティ数を減少させて記録する記録制御部と具備する磁気記録装置。
【図面の簡単な説明】
【００１７】
【図１】実施形態に係る磁気記録装置を示すブロック図。
【図２】実施形態における瓦記録の一例を説明する図。
【図３】図２の媒体からの再生方法を説明する図。
【図４】実施形態における瓦記録の他の例を説明する図。
【図５】図４の媒体からの再生方法を説明する図。
【図６】実施例１において、誤り訂正符号化されたデータを２列のドット列に分割して記録する例を説明する図。
【図７】実施例１において、誤り訂正符号化されたデータを５列のドット列に分割して記録する一例を説明する図。
【図８】実施例１において、誤り訂正符号化されたデータを５列のドット列に分割して記録する他の例を説明する図。
【図９】実施例１において、誤り訂正符号化されたデータを２つのトラックに分割して記録する例を説明する図。
【図１０】実施例１におけるデータ処理系のブロック図。
【図１１】実施例１におけるデータフォーマットを示す図。
【図１２】実施例２における１つのトラック上のシンボルの構成を示す図。
【図１３】実施例３におけるデータ処理系のブロック図。
【図１４】実施例３におけるデータフォーマットを示す図。
【図１５】実施例４におけるデータフォーマットを示す図。
【発明を実施するための形態】
【００１８】
以下、図面を参照して本発明の実施形態について詳細に説明する。
【００１９】
図１は、実施形態に係る磁気記録装置の構成を説明するためのブロック図である。  
ディスクドライブ１は、磁気記録媒体であるディスク１０と、ディスク１０を回転させるスピンドルモータ（ＳＰＭ）１１と、ヘッド１２と、アクチュエータ１３と、ヘッドアンプユニット（ヘッドＩＣ）１４とを有する。ディスク１０は、ビットパターンドメディアでもよいし、連続膜媒体でもよい。ビットパターンドメディアは、ナノメートルスケールの磁性ドットが基板上に規則的に配列された磁性ドットアレイを含み、それぞれの磁性ドットの磁化の向きで“０”、“１”のデジタル信号（１ドットが１ビットに相当）が記録される。
【００２０】
ヘッド１２は、リードヘッド１２Ｒとライトヘッド１２Ｗとが、１つのスライダ上に分離して実装されている構造である。リードヘッド１２Ｒは、ディスク１０に記録されているデータを読出す。ライトヘッド１２Ｗは、ディスク１０にデータを書き込む。アクチュエータ１３は、ヘッド１２を搭載しているサスペンション、アーム及びボイスコイルモータ（ＶＣＭ）を有し、トラッキング制御のためにヘッド１２をディスク１０上の半径方向（クロストラック方向）に移動させる。
【００２１】
ヘッドアンプユニット１４は、ヘッド１２のリードヘッド１２Ｒにより読出されたリード信号を増幅してリード／ライトチャネル１５に出力するリードアンプを含む。また、ヘッドアンプユニット１４は、リード／ライトチャネル１５から出力されるライトデータをライト信号（ライト電流）に変換して、ヘッド１２のライトヘッド１２Ｗに供給するライトドライバを含む。
【００２２】
ディスクドライブ１は、プリント回路基板上に実装されたリード／ライトチャネル１５、ハードディスクコントローラ（ＨＤＣ）１６、マイクロプロセッサ（ＣＰＵ）１７、メモリ１８及びモータドライバ１９を有する。なお、ＨＤＣ１６、ＣＰＵ１７、及びメモリ１８は、ワンチップの集積回路２０に実装されている。これらの部材が記録制御部として機能する。
【００２３】
リード／ライトチャネル１５は、リード／ライトデータ信号を処理する信号処理ユニットである。ＨＤＣ１６は、ディスクドライブ１と図示しないホストシステム（パーソナルコンピュータやデジタル機器）とのインターフェースを構成し、データ転送制御やリード／ライト動作を制御する。ＣＰＵ１７は、ディスクドライブ１のメインコントローラであり、ヘッド位置決め制御（サーボ制御）や、リード／ライトデータの並べ替えを実行する。メモリ１８は、フラッシュＥＥＰＲＯＭである。
【００２４】
モータドライバ１９は、ＳＰＭ１１に駆動電流を供給するＳＰＭドライバ及びアクチュエータ１３のＶＣＭに駆動電流を供給するＶＣＭドライバを有する。ＶＣＭドライバは、ＣＰＵ１７のヘッド位置決め制御（サーボ制御）に応じてアクチュエータ１３のＶＣＭに駆動電流を供給して、ヘッド１２をディスク１０上の半径方向に移動制御する。
【００２５】
図２にビットパターンドメディアの一例を示し、このビットパターンドメディアに対する瓦記録を説明する。図２のビットパターンドメディアの磁性ドットの配列は千鳥パターンであり、奇数行目のドット列と偶数行目のドット列とは位相が１８０°ずれている。即ち、偶数行目のドット列の各ドットは、奇数行目の隣接する２ドット間に位置する。ドットの配列方向がトラック方向（ディスクの円周方向）となる。図２では、１行のドット列が１トラックを構成する。
【００２６】
ライトヘッド１２Ｗは複数のドット列、例えば３行のドット列をカバーする幅を有する。リード／ライトチャネル１５から出力されるライトデータはヘッドアンプユニット１４でライト信号（ライト電流）に変換され、ライトヘッド１２Ｗに供給される。各ドットにはライトデータの各ビットが書き込まれる。
【００２７】
図２（ａ）は１行目のドット列Ｄ１への書き込みの様子を示す。１行目のドット列Ｄ１への書き込み時には、アクチュエータ１３は、ライトヘッド１２Ｗのクロストラック方向の端部（エッジ）が１行目のドット列Ｄ１をカバーするようにトラッキング制御する。このようにライトヘッド１２Ｗの端部を利用して書き込みを行うことをエッジ書き込みとも称する。黒丸が１、白丸が０とする。１行目のドット列には１１０１００１…が書き込まれる。このとき、ライトヘッド１２Ｗは３行のドット列を同時にアクセスできる幅を有するので、同じデータが２行目、３行目のドット列Ｄ２、Ｄ３にも書き込まれる。ただし、本実施形態では１ドット列の記録後、ライトヘッドを１ドット列分クロストラック方向へ移動して上書きしながら、１ドット列ずつ記録する瓦記録を適用するので、所望のドット列以外のドット列にデータが書き込まれても問題はない。
【００２８】
１行目のドット列Ｄ１への書き込み後、アクチュエータ１３は、図２（ｂ）に示すようにライトヘッド１２Ｗを１ドット列分クロストラック方向へ移動し、ライトヘッド１２Ｗのクロストラック方向の端部が２行目のドット列Ｄ２をカバーするようにトラッキング制御する。このときのライト位相は、ドット列に合わせて（１／２）ドットピッチ（位相角では１８０°）だけシフトさせる。こうして、２行目、３行目、４行目のドット列Ｄ２、Ｄ３、Ｄ４に０１０１１０…が書き込まれる。これにより、図２（ａ）に示す１行目のドット列Ｄ１への書き込み時に２行目のドット列Ｄ２へ書き込まれた意図しないデータが本来の書き込みデータによって上書きされる。
【００２９】
２行目のドット列Ｄ２への書き込み後、アクチュエータ１３は、図２（ｃ）に示すようにライトヘッド１２Ｗを１ドット列分クロストラック方向へ移動し、ライトヘッド１２Ｗのクロストラック方向の端部が３行目のドット列Ｄ３をカバーするようにトラッキング制御する。こうして、３行目、４行目、５行目のドット列Ｄ３、Ｄ４、Ｄ５に０１１００１０…が書き込まれる。これにより、図２（ｂ）に示す２行目のドット列Ｄ１への書き込み時に３行目のドット列Ｄ３へ書き込まれた意図しないデータが本来の書き込みデータによって上書きされる。
【００３０】
以後、同様に、ライトヘッド１２Ｗによる書き込み後、ライトヘッド１２Ｗを１ドット列分クロストラック方向へ移動し、以前に書き込んだデータに本来のデータを上書きする瓦記録を実施することにより、１ドット列ずつデータが書き込まれる。このとき、どのドット列でもドットピッチｄｐに対応したライト周波数で記録を行うので、ライト位相マージンが減少することはない。このため、ビットパターンドメディア１０の磁性ドットの配列精度やライトヘッド１２Ｗの幅の精度を緩くすることができる。
【００３１】
次に、図３を参照して図２のビットパターンドメディアからの再生方法を説明する。図３に示すように、リードヘッド１２Ｒは複数のドット列、例えば２行のドット列をカバーする幅を有する。再生の際は、リードヘッド１２Ｒは幅方向の中心が２行のドット列の中心に位置するようにトラッキング制御される。２行のドット列は位相が１８０°ずれているので、２行のドット列をカバーする幅を有するリードヘッド１２Ｒにより２行のドット列から交互にデータを読み取ることができる。１行目のドット列に０００１００１１…が、２行目のドット列に１１０１００１１…が記録されている場合、再生データは０１０１００１１００００１１１１…となる。
【００３２】
図４にビットパターンドメディアの他の例を示し、このビットパターンドメディアに対する瓦記録を説明する。図４のビットパターンドメディアでは、隣接する２行のドット列の位相が９０°ずれている。即ち、１行目のドット列の隣接２ドット間に２、３、４行目のドットが挿入される。
【００３３】
ライトヘッド１２Ｗは４列より大きい複数ドット列、例えば５行のドット列をカバーする幅を有する。
【００３４】
図４（ａ）は１行目のドット列Ｄ１への書き込みの様子を示す。１行目のドット列Ｄ１への書き込み時には、アクチュエータ１３は、ライトヘッド１２Ｗのクロストラック方向の端部（エッジ）が１行目のドット列Ｄ１をカバーするようにトラッキング制御する。１行目のドット列に１１０１…が書き込まれる。このとき、ライトヘッド１２Ｗは５行のドット列をカバーする幅を有するので、同じデータが５行目のドット列Ｄ５まで書き込まれる。
【００３５】
１行目のドット列Ｄ１への書き込み後、アクチュエータ１３は、図４（ｂ）に示すようにライトヘッド１２Ｗを１ドット列分クロストラック方向へ移動し、ライトヘッド１２Ｗのクロストラック方向の端部が２行目のドット列Ｄ２をカバーするようにトラッキング制御する。これにより、２行目から６行目までのドット列Ｄ２からＤ６に０１１１…が書き込まれる。
【００３６】
２行目のドット列Ｄ２への書き込み後、アクチュエータ１３は、図４（ｃ）に示すようにライトヘッド１２Ｗを１ドット列分クロストラック方向へ移動し、ライトヘッド１２Ｗのクロストラック方向の端部が３行目のドット列Ｄ３をカバーするようにトラッキング制御する。これにより、３行目から７行目のドット列Ｄ３からＤ７に１１００…が書き込まれる。
【００３７】
以後、同様に、ライトヘッド１２Ｗによる書き込み後、ライトヘッド１２Ｗを１ドット列クロストラック方向へ移動し、以前に書き込んだデータに本来のデータを上書きする瓦記録を実施することにより、１ドット列ずつデータが書き込まれる。
【００３８】
図４のドットピッチｄｐは図２のそれに比べて２倍なので、ライト位相マージンをより大きくすることができる。
【００３９】
次に、図５を参照して図４のビットパターンドメディアからの再生方法を説明する。図５に示すように、リードヘッド１２Ｒは複数ドット列、例えば４行のドット列をカバーする幅を有し、幅の中心が２行目と３行目のドット列の中心に位置するようにトラッキング制御される。４行のドット列は隣接するドット列間では位相が９０°ずれているので、４行のドット列から順次データを読み取ることができる。１行目のドット列に００１…が、２行目のドット列に１０１…、３行目のドット列に０００…、４行目のドット列に１１０…が記録されている場合、再生データは０１０１０００１１１００…となる。
【００４０】
なお、隣接する２行のドット列の位相シフトは１８０°未満であればよい。例えば、１行目のドット列の隣接２ドット間に２、３行目のドットが挿入される場合は、位相シフトは１２０°である。あるいは、１行目のドット列の隣接２ドット間に２、３、４、５行目のドットが挿入される場合は、位相シフトは７２°である。
【００４１】
（実施例１）
本実施例では、誤り訂正符号化されたデータを、再生時にリードヘッドがカバーする複数のトラックに分割して記録する例について説明する。ここでは、誤り訂正符号化されたデータを（１，２，３，４，…）とする。
【００４２】
図６は、リードヘッドが２行のドット列をカバーする幅を有し、誤り訂正符号化されたデータを２列のドット列に分割して記録する例を示す。なお、１行のドット列が１トラックに相当する。図６において、ドット列Ｄ１にはデータ（１，３，…）、ドット列Ｄ２にはデータ（２，４，…）が、それぞれ分割して記録される。
【００４３】
図７は、リードヘッドが５行のドット列をカバーする幅を有し、誤り訂正符号化されたデータを５列のドット列に分割して記録する一例を示す。図７において、ドット列Ｄ１にはデータ（１，６，…）、ドット列Ｄ２にはデータ（２，７，…）、ドット列Ｄ３にはデータ（３，８，…）、ドット列Ｄ４にはデータ（４，９，…）、ドット列Ｄ５にはデータ（５，１０，…）が、それぞれ分割して記録される。
【００４４】
図８は、リードヘッドが５行のドット列をカバーする幅を有し、誤り訂正符号化されたデータを５列のドット列に分割して記録する他の例を示す。図８において、ドット列Ｄ１にはデータ（１，６，…）、ドット列Ｄ２にはデータ（３，８，…）、ドット列Ｄ３にはデータ（５，１０，…）、ドット列Ｄ４にはデータ（２，７，…）、ドット列Ｄ５にはデータ（４，９，…）が、それぞれ分割して記録される。すなわち、５行のドット列の磁性ドットは、リードヘッドによってジグザグに再生されるように配置されている。
【００４５】
再生時には、図６〜図８のいずれの場合でも、（１，２，３，４，…）の順にデータが読み出される。
【００４６】
なお、本実施例は、連続膜媒体に瓦記録を行う場合にも適用できる。図９は、リードヘッドが２つのトラックをカバーする幅を有し、誤り訂正符号化されたデータを２つのトラックＴ１，Ｔ２に分割して記録する例を示す。
【００４７】
図１０に本実施例におけるデータ処理系のブロック図を示す。図１０（ａ）は記録系のブロック図を示す。ユーザデータは、ＲＬＬ変調器３１で変調され、ＥＣＣ符号器３２でＥＣＣ符号化され、データ順序変換器３３でＲＡＭ３４に格納された情報に基づいて、複数のトラックに分割して記録されるようにデータの順序が変換されて書き込みデータが生成される。図１０（ｂ）は再生系のブロック図を示す。読み出しデータは検出器４１で検出され、ＥＣＣ復号器４２で復号され、ＲＬＬ復調器４３でユーザデータに復調される。
【００４８】
図１１（ａ）にＥＣＣ符号器３２でＥＣＣ符号化されたデータのフォーマット（データおよびパリティにより構成される）、図１１（ｂ）にデータ順序変換器３３でデータの順序が変換された書き込みデータのフォーマットを示す。この例は、リードヘッドが２つのトラックをカバーする幅を有し、誤り訂正符号化されたデータおよび、このデータのパリティを２つのトラックに分割して記録する場合のデータフォーマットである。
【００４９】
本実施例でリードヘッドが２つのトラックをカバーする幅を有する場合、再生時に検出されたデータおよびこのデータのパリティを再生順にデータ処理できるので、再生時の転送レートを記録時の２倍にすることができる。さらに、リードヘッドが５つのトラックをカバーする幅を有する場合、再生時の転送レートを記録時の５倍にすることができる。このように、本実施例により、再生時の転送レートを改善できる。
【００５０】
（実施例２）
図１２に、図１１（ｂ）に示すそれぞれのドット列（トラック）上のＥＣＣ符号化の基本単位であるシンボルの好適な構成を示す。図１２に示すように、１つのドット列（トラック）上に記録されるデータ（１，３，５，…，ａ１，ａ３，ａ５，…）および次のドット列（トラック）上に記録されるデータ（２，４，６，…，ａ２，ａ４，ａ６，…）は、シンボル１、シンボル２、…、シンボルＮ、シンボルＮ＋１の各シンボル内でデータが隣り合う構成にする。
【００５１】
瓦記録では、データを１ドット列ずつずらしながら重ねて記録していくので、すでに記録されたドット列のデータに対して、次のドット列にデータを記録することに起因する、すでに記録されたデータのリードでエラーが発生する可能性がある。このときのエラーは、ドット列で連続的に発生する。本実施例２による、シンボル１、シンボル２、…、シンボルＮ、シンボルＮ＋１の各シンボル内で記録されるドットが隣り合う構成では、記録により連続的にエラーが発生する場合、同一シンボル内にエラーが集中するので、効率的な誤り訂正が可能になる。
【００５２】
（実施例３）
図１３に本実施例におけるデータ処理系のブロック図を示す。図１３（ａ）は記録系のブロック図を示す。ユーザデータは、ＲＬＬ変調器３１で変調され、ＥＣＣ符号器３２でＥＣＣ符号化されて、書き込みデータが生成される。生成された書き込みデータのフォーマットは図１１（ａ）に示したようなものであり、１つ目のドット列（トラック）にＥＣＣデータブロックが書き込まれ、２つ目のドット列（トラック）に次のＥＣＣデータブロックが書き込まれる。図１３（ｂ）は再生系のブロック図を示す。２つのドット列（トラック）からのデータは検出器５１で検出される。再生されたデータは、２つのドット列（トラック）からのデータつまり２つの異なるＥＣＣブロックのデータが交互に並んでいる（図１４）。次に、２つのドット列（トラック）から交互に検出されたデータは、データ分割器５２でＲＡＭ５３に格納された情報に基づき、２つのＥＣＣ符号化されたデータのブロックに従って分割される。こうして分割されたデータは、ＥＣＣ復号器５４で復号され、ＲＬＬ復調器５５でユーザデータに復調される。このように、本実施例に拠れば、瓦記録したデータを複数のドット列（トラック）から順次再生してデータ処理を可能にする。
【００５３】
（実施例４）
上述したように、瓦記録では、すでに記録されたドット列のデータに対して次のドット列にデータを記録することに起因する、すでに記録されたデータのリードでエラーが発生する可能性がある。このことは、先に記録した前段のデータ列（トラック）はエラーが発生しやすく、後に記録した後段のデータ列（トラック）ほどエラーが発生しにくいことを意味する。通常、１つのデータ列（トラック）のデータに付加するパリティ数は、最もエラーが発生しやすい状態に合わせて決定される。
【００５４】
しかし、前段のデータ列（トラック）はエラーが発生しやすく、後段のデータ列（トラック）はエラーが少ないことがわかっているので、図１５に示すように、たとえば前段のデータ列（トラック）Ｄ１から後段のデータ列（トラック）Ｄ４に向かうにつれて、データに付加するパリティ数を減少させても差し支えない。このように本実施例では、ＥＣＣパリティの付加を効率化してフォーマット効率を改善できる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…ディスクドライブ、１０…ディスク、１１…スピンドルモータ、１２Ｗ…ライトヘッド、１２Ｒ…リードヘッド、１３…アクチュエータ、１４…ヘッドアンプユニット、１５…リード／ライトチャネル、１６…ハードディスクコントローラ、１７…マイクロプロセッサ、１８…メモリ、１９…モータドライバ、２０…集積回路、３１…ＲＬＬ変調器、３２…ＥＣＣ符号器、３３…データ順序変換器、３４…ＲＡＭ、４１…検出器、４２…ＥＣＣ復号器、４３…ＲＬＬ復調器、５１…検出器、５２…データ分割器、５３…ＲＡＭ、５４…ＥＣＣ復号器、５５…ＲＬＬ復調器。
【図１】
2012059317.tif 000003
【図２】
2012059317.tif 000004
【図３】
2012059317.tif 000005
【図４】
2012059317.tif 000006
【図５】
2012059317.tif 000007
【図６】
2012059317.tif 000008
【図７】
2012059317.tif 000009
【図８】
2012059317.tif 000010
【図９】
2012059317.tif 000011
【図１０】
2012059317.tif 000012
【図１１】
2012059317.tif 000013
【図１２】
2012059317.tif 000014
【図１３】
2012059317.tif 000015
【図１４】
2012059317.tif 000016
【図１５】
2012059317.tif 000017